(57)【要約】【課題】エアコン等の室内環境整備機器と協調しつつ、双方を単独に動作させることもできるイオン発生器を提供する。【解決手段】イオン発生部、イオン発生部に電源を供給する電源部、電源部をオン、オフするスイッチ等を収容するケース１は、イオン出力口１ａと、冷暖房機器などの室内環境調整機器の空気吹き出し方向とイオン出力方向をほぼ合致させた状態で室内環境調整機器の空気吹き出し口近傍に取り付け得る手段、例えば両面粘着テープ２等を備えるようにする。【選択図】　　図１
2004003794.tif 000002
【特許請求の範囲】
【請求項１】
イオン発生部と、
前記イオン発生部に電源を供給する電源部と、を少なくとも収容するケースを備え、
前記ケースは、イオンを出力する開口部と、冷暖房機器などの室内環境調整機器の空気吹き出し方向とイオン出力方向をほぼ合致させた状態で前記室内環境調整機器の空気吹き出し口近傍に取り付け得る手段を備えることを特徴とするイオン発生器。
【請求項２】
イオン発生部と、
前記イオン発生部に電源を供給する電源部と、を少なくとも収容するケースを備え、
前記ケースは、イオンを出力する開口部と、ヘアドライヤーの熱気吹き出し方向とイオン出力方向をほぼ合致させた状態でヘアドライヤーに取り付け得る手段を備えることを特徴とするイオン発生器。
【発明の詳細な説明】
【０００１】
【発明の属する技術分野】
本発明は、人体の健康に寄与するイオン発生装置に関する。
【０００２】
【従来の技術】
イオン発生装置はさまざまな用途に利用されるが、たとえば美容器具として、髪にうるおいを与えるイオン発生器を組み込んだヘアドライヤーが開発され実用化されている。パサついた髪は静電気によってプラスに帯電しており、このプラスの電荷を、マイナスに帯電した酸素と空気中の微細な水分が結合したマイナスイオンを発生する機能を備えたイオンブラシを用いることによって中和する。その結果、髪の吸水率を高めることができ、水分が中まで浸透、さらに水のベールが毛髪の表面をコートしてうるおいを継続させる効果があるとされている。
【０００３】
このような用途以外にも、人が生活する空間、環境中にイオンを発生させることによって人体の健康に役立つとして、扇風機、エアコン、エアクリーナ、加湿器、電気やガスの暖房器具などにイオン発生装置を組み込んだものが実用化されている。
【０００４】
【発明が解決しようとする課題】
このような従来の各種の機器に組み込まれたイオン発生装置は髪にうるおいを与えたり、人体に健康的な環境を作り出すのに役立ってはいるが、イオン発生装置の動作は組み込まれた機器の作動状態に連動するものであり、例えば、ヘアドライヤー、扇風機、エアコンなどの機器が作動している間はこれに連動して作動し、ヘアドライヤー、扇風機、エアコンなどの機器がオフされれば、イオン発生装置も作動を停止するようになっている。このため、イオン発生の必要はないが、ヘアドライヤー、扇風機、エアコンなどの機器は作動させたい、というような場合も、常に連動する設定になっているので所望の状態が得られない。
【０００５】
本発明はこのような問題点を有する従来のイオン発生装置を、ヘアドライヤー及び室内環境の調整機器とは連動させずに作動させたり、停止させたりすることが可能で、取り付けに際しても機器の機能を損ねたり、室内のムードを損なうことのないものとすること、さらにイオン発生装置を内蔵していない従来のヘアドライヤー、扇風機やエアコンなどを買い換えることなくイオン効果が得られるようにできるようにすること、を目的としている。
【０００６】
【課題を解決するための手段】
上記の課題を解決するために本発明は、イオン発生部と、前記イオン発生部に電源を供給する電源部とを収容するケースに、イオンを出力する開口部と、冷暖房機器などの室内環境調整機器の空気吹き出し方向とイオン出力方向を合致させた状態で前記室内環境調整機器の空気吹き出し口近傍に取り付け得る手段を備えるように構成したものである。これにより、エアコンなどの室内環境の調整機器と連動せずに所望の動作状態が選択できるイオン発生器が得られる。
【０００７】
また、上記の課題を解決するために本発明は、イオン発生部と、前記イオン発生部に電源を供給する電源部とを少なくとも収容するケースを備え、前記ケースは、イオンを出力する開口部と、ヘアドライヤーの熱気吹き出し方向とイオン出力方向をほぼ合致させた状態でヘアドライヤーに取り付け得る手段を備えるように構成したものである。
【０００８】
【発明の実施の形態】
本発明の請求項１に記載の発明は、イオン発生部と、前記イオン発生部に電源を供給する電源部と、を少なくとも収容するケースを備え、前記ケースは、イオンを出力する開口部と、冷暖房機器などの室内環境調整機器の空気吹き出し方向とイオン出力方向をほぼ合致させた状態で前記室内環境調整機器の空気吹き出し口近傍に取り付け得る手段を備えるようにしたものであり、エアコンなどの室内環境の調整機器の吹き出し風とともにイオンを出力する状態で機器と環境改善に協調はするが、連動はせず、所望の動作状態が選択できるという作用を有する。
【０００９】
本発明の請求項２に記載の発明は、イオン発生部と、前記イオン発生部に電源を供給する電源部とを少なくとも収容するケースを備え、前記ケースは、イオンを出力する開口部と、ヘアドライヤーの熱気吹き出し方向とイオン出力方向をほぼ合致させた状態でヘアドライヤーに取り付け得る手段を備えるようにしたものであり、イオン発生器をヘアドライヤーに容易に後付けすることができ、しかもヘアドライヤーとは連動せずに使用することができる作用を有する。
【００１０】
（実施の形態）
図１から図３を用いて本実施の形態について説明する。外観斜視図である図１において、１はケースであり、一基あるいは複数基の後述のイオン発生部及び電源部などを収容する。外装は比較的シンプルな箱状とし、特に背面は取り付けようとする対象面に取り付けやすい形状とする。１ａはケース１の前面に開口させたイオン出力口である。
【００１１】
２はいわゆる両面テープなどの両面粘着部材であって、ケース１の背面を例えば、エアコンなどの取り付けようとする対象面に貼り付けて取り付けるために用いる。
【００１２】
図２は本実施の形態の構成を示すブロック構成図である。同図において、１は前記のケース、１ａはケース１の前面に開口させたイオン出力口、３はイオン発生部、４は電源部であり、例えば乾電池などを使用する。４ａは電源部４を動作状態、非動作状態に切り替える電源スイッチである。尚、電源スイッチは電源が商用電源の場合には電源コードに設けることができる。イオン発生部３の構造は公知であるので詳述は省略するが、回路基板３ｐに対し電源部４からの電源供給が行われて高圧回路３ａが作動し陽極３ｂ及び陰極３ｃにそれぞれ電圧が加えられることでケース１に開口したイオン出力口１ａからイオンが出力される構造である。なお、イオン発生部３は図のように１基でもよいが複数基、設けてもよい。その場合はケース１に開口させるイオン出力口１ａも複数箇所設けるようにする。また、動作中はＬＥＤ等を発光させて動作中であることを表示するようにしてもよい。電源部４についても、１次電池、２次電池、あるいはＡＣ１００ボルトのいずれかを利用することができ、また、ＤＣ、ＡＣ双方を備えるようにしてもよい。
【００１３】
図３は本実施の形態のイオン発生器をエアコンに付加して使用する状態の説明図である。１０はイオン発生器、５はエアコン本体、５ａはエアコンの風吹き出し口、５ｂはエアコンの左右風向き調整板、５ｃはエアコンの上下風向き調整板であって、本実施の形態のイオン発生器１０の背面に、図１に示した両面粘着部材２を用いて図１の矢印Ａ方向に固定し、図のようにエアコンの風吹き出し口５ａの近傍のフラットな面に、両面粘着部材２の他面を矢印Ｂ方向にエアコンの所望の取り付け位置に固定して取り付ける。
【００１４】
このように設置した本実施の形態のイオン発生器１０の電源スイッチ４ａをオンすることによって図１および図２において符号Ｓで示したように、イオン出力口１ａから放射状にイオン流が出力され、エアコン５からの吹き出し風とともに室内等の環境を作り出し、空気の清浄化が行われ、人体によい結果をもたらす。イオン出力が不要な場合は電源スイッチ４ａをオフすることによってエアコン５のみを作動させることが可能であり、また、逆に、エアコン５が作動していない状態であっても、イオン発生器１０の電源スイッチ４ａだけをオンとしてイオン出力だけを得ることもできる。
【００１５】
なお、本実施の形態の説明で取り付け対象はエアコンとしたが、例えば、扇風機などであってもよく、この場合は羽根の後部側にあるモーターケースに、イオン出力口を羽根側に向け取り付ける。また、エアクリーナ、加湿器、各種ストーブなどについては吹き出し口の近傍に取り付けるようにすればよい。いずれの場合にも室内の空気の清浄化が行われ、人体によい結果をもたらす。
【００１６】
また、ケース１を対象機器に取り付ける面はケース１の背面としたが、対象機器の形状や使用状態によってはケース１の側面や下面、さらに上面などを利用することも考えられる。
【００１７】
上記実施の形態において、イオン発生器の後付け対象製品として主に室内環境調整機器に限定説明したが、ヘアドライヤーも後付け対象製品である。即ち、上記構成のイオン発生器を、そのイオンを出力する開口部と、ヘアドライヤーの熱気吹き出し方向とイオン出力方向をほぼ合致させた状態でヘアドライヤーに後付けすることにより実施することができる。上記イオン発生器のヘアドライヤーに対する取り付け面はヘアドライヤーの形状とほぼ同調する形状とすることが好ましい。後付けの取り付けは、イオン発生器の取り付け面に前もって接着させた両面接着テープで行うのが好ましい。
【００１８】
なお、繰り返しになるが前記したように、イオン発生部は１基でもよいが複数基、設けてもよい。その場合はケースのイオン出力口の開口も複数箇所設けるようにする。また、動作中はケース外部から視認できる位置にＬＥＤ等を配置し発光させて動作中であることを表示するようにしてもよい。電源部４についても、１次電池、２次電池、あるいはＡＣ１００ボルトのいずれかを利用することができ、また、ＤＣ、ＡＣ双方を備えるようにしてもよい。
【００１９】
【発明の効果】
以上のように本発明によれば、イオン発生部と、前記イオン発生部に電源を供給する電源部とを少なくとも収容するケースを備え、前記ケースは、イオンを出力する開口部と、ヘアドライヤー及び室内環境調整機器の空気吹き出し方向とイオン出力方向をほぼ合致させた状態でヘアドライヤー及び前記室内環境調整機器に取り付け得る手段を備えるようにしたので、取り付けが容易かつ機器の機能を損なうことのない取り付け状態が得られ、ヘアドライヤー及び室内環境調整機器と協調しつつ、状況によって双方をそれぞれ単独に作動させることができるという有利な効果が得られる。
【００２０】
また、イオン発生装置を内蔵していない従来のヘアドライヤー及び室内環境調整機器などを買い換えることなくイオン出力が得られるという有利な効果がある。
【図面の簡単な説明】
【図１】本発明の実施の形態を説明する外観斜視図である。
【図２】本発明の実施の形態を説明するブロック構成図である。
【図３】本発明の実施の形態を説明する取り付け状態部分図である。
【符号の説明】
１　　　ケース
１ａ　　イオン出力口
２　　　両面粘着部材
３　　　イオン発生部
３ｐ　　回路基板
４　　　電源部
４ａ　　電源スイッチ
５　　　エアコン
１０　　　イオン発生器
【図１】
2004003794.tif 000003
【図２】
2004003794.tif 000004
【図３】
2004003794.tif 000005